(57)【要約】  【課題】    片手の小さな力で回転盤を左右方向に回動させて制御し刃部の前後方向の移動距離を制御することができ、手軽で便利に操作が可能な電動バリカンの刃部調整機構の提供。 【解決手段】    電動バリカン殻体前端部に結合される刃セット、回復バネ、支持片、回転盤を含み、該移動刃座体とバネ座体を連動可能とすると共に、該回復バネがバネ座体に当接され、バネ座体が前方向へ移動すると圧迫されて弾力を生み、該支持片は後方先端部に突起を備え、さらに固定刃座体の後端部に連結され、該バネ座体を支持し、該回転盤上に階段状調整部を含む調整エリアを設け、該支持片の突起を階段状調整部に係合し、回転盤が階段状調整部の高階層へと回動されると、支持片が前方へ移動し、さらにバネ座体と移動刃座体を前方へ移動させ、回転盤が階段状調整部の低階層へと回動されると、支持片が後方へ移動し、バネ座体が解放され、回復バネにより後方へ移動し、移動刃座体もそれに伴い後方へ移動する。  【選択図】    図１ 
0003116209.tif 000002
【実用新案登録請求の範囲】
【請求項１】
主に刃セット、電動バリカン殻体、回復バネ、支持片、回転盤を含み、そのうち、該刃セットは該電動バリカン殻体の前端部に設置され、前端部に固定刃を備えた固定刃座体と移動刃部材を含み、該移動刃部材は、前端部に移動刃を設けた移動刃座体及び内部に位置決めバネを設けたバネ座体から構成され、該位置決めバネの両端部と移動刃座体が相互に連結されると共に、該移動刃部材を該固定刃の上面に設置し、該移動刃部材の移動刃座体が該固定刃座体の前端部上に位置し、該バネ座体が該固定刃座体の後端部上に位置すると共に、該回復バネは一端が該バネ座体に固定され、他端が該固定刃の後端部に固定され、該支持片はその後端部に近い位置に突起を備え、該支持片を該固定刃座体の後端部に結合し、且つ、該支持片が該バネ座体を支持し、且つ、該固定刃座体上で移動することができると共に、該回転盤は中央部に延伸して設けた空芯の位置決め柱体を備え、該位置決め柱体上に調整エリアを設け、該調整エリア内に階段状調整部を形成し、該回転盤を該電動バリカン殻体の前端部に近い位置に設置し、該回転盤を回動させることができるよう、該回転盤の端を該電動バリカン殻体の外部に突出させて露出し、該支持片の該突起が該回転盤の調整エリア内に収容され、且つ、該階段状調整部と係合され、該回転盤が該調整エリア内で往復回動されるとき、該支持片が該階段状調整部の異なる高さの階層と係合されて前方または後方に移動し、前方に移動するときは該移動刃部材を前方向へ押して移動させ、且つ、該回復バネを圧迫させて弾性を形成させ、後方へ移動するときは該回復バネの弾力により該移動刃部材を後方へ移動させることができる構成としたことを特徴とする電動バリカンの刃部調整機。
【請求項２】
前記固定刃座部の後端部にスライド槽を設け、該スライド槽に該支持片を嵌合し、該支持片が該スライド槽内で移動することができる構成としたことを特徴とする請求項１に記載の電動バリカンの刃部調整機。
【請求項３】
前記回復バネがV字形またはその他形状とすることができる構成としたことを特徴とする請求項１に記載の電動バリカンの刃部調整機。
【請求項４】
前記回転盤の断面が略凸字形を呈し、且つ、該回転盤の外側周縁部に回動制御を容易にするための滑り止め模様を設けた構成としたことを特徴とする請求項１に記載の電動バリカンの刃部調整機。
【請求項５】
前記回転盤の断面が略凸字形を呈し、且つ、該回転盤の外側周縁部に回動制御を容易にするための刻みやその他回動制御に有利なものを設けた構成としたことを特徴とする請求項１に記載の電動バリカンの刃部調整機。
【請求項６】
前記回転盤の調整エリア間に第一壁面と第二壁面を設け、該回転盤の回動距離を該第一壁面から第二壁面までの間とした構成としたことを特徴とする請求項１に記載の電動バリカンの刃部調整機。
【請求項７】
前記調整エリア間の第一壁面から第二壁面までの間に、徐々に高くなる階段状調整部を設け、該階段状調整部が複数の階層を含む構成としたことを特徴とする請求項６に記載の電動バリカンの刃部調整機。
【考案の詳細な説明】
【技術分野】
【０００１】
本考案は電動バリカンの刃部調整機に関し、詳細には、回転盤により  電動バリカンの刃部調整機に関する。
【背景技術】
【０００２】
街中の理髪店や美容院では、よく電動バリカンが使用されているが、顧客の理髪の長さの求めに応じるため、理髪師は先に電動バリカンの刃部上に長さ調節器を装着し、理髪長さを調整している。しかしながら、顧客のニーズはそれぞれ違うため、毎回異なる長さの調節器に交換するのは使用上非常に面倒であり、また業者は他の型式の長さ調整器を購入する必要があるなど費用もかさむため、経済的でない。
【０００３】
上述のような従来の電動バリカンの欠点を改善するため、業界では斜面の原理を利用して刃部の位置を調整する方法が開発されている。これは、電動バリカン上に環状の調整スイッチを設け、この調整スイッチの内側面上に螺旋斜面を備えたスライド槽を窪み状に設け、さらに電動バリカンの前端部に突起を設置し、この突起下側に刃押し棒を連結し、この突起を調整スイッチのスライド槽内に嵌入すると、使用者が調整スイッチを回転させて刃押し棒上の突起が調整スイッチの螺旋斜面を備えたスライド槽に沿って前後に移動し、刃部を動かして調整し、理髪長さの制御という目的を達するものである。しかしながら、この電動バリカンは片手で操作することができず、両手でなければ回転調整の操作を行うことができないため、操作上非常に不便である。
【０００４】
このことから分かるように、上述のような従来品にはまだ多くの欠点があり、優れた設計であるとは言えず、改良が待たれている。
【０００５】
本考案は、上述のような従来品の刃部調整構造から派生する各欠点に鑑みて、長年の研究開発を経て改良を施し、ついに新しい電動バリカンの刃部調整機の開発に成功したものである。
【考案の開示】
【考案が解決しようとする課題】
【０００６】
本考案の主な目的は、理髪の過程において、操作者が片手で小さな力で回転盤を左右方向に回動させて制御することで刃部の前後方向の移動距離を制御することができ、手軽で便利に操作を行うことができる、電動バリカンの刃部調整機を提供することにある。
【０００７】
本考案の別の目的は、組み立てが容易で操作が簡単であり、低コストであるという利点だけでなく、電動バリカンの産業上における進歩性を向上した、電動バリカンの刃部調整機を提供することにある。
【課題を解決するための手段】
【０００８】
上述の目的を達するため、本考案の電動バリカンの刃部調整機は、電動バリカン殻体前端部に結合される刃セット、回復バネ、支持片、回転盤を含み、そのうち、この刃セットは、固定刃座体と移動刃部材から構成され、この移動刃部材は固定刃座体の上表面に設置され、且つ、この移動刃部材は主に移動刃座体及び内部に位置決めバネを設置したバネ座体を含み、この位置決めバネの両端部を移動刃座体の上面に連結し、移動刃座体とバネ座体を連動可能とすると共に、移動刃座体とバネ座体間に回復バネを設け、この回復バネはバネ座体に当接され、バネ座体が前方向へ移動すると、この回復バネが圧迫されて弾力を生み、該支持片は後方先端部に突起を備え、該支持片は固定刃座体の後端部に連結され、且つ、バネ座体を支持し、この支持片がバネ座体を前方向へ押して移動させることができると共に、回転盤上に調整エリアを設け、この調整エリアは階段状調整部を含み、回転盤を電動バリカン殻体の前端に近い位置に結合させ、回転盤の端を電動バリカン殻体の外側に突起した状態に露出し、この露出した部分を利用し回転調整することができ、支持片の突起が回転盤の調整エリア内に収容され、調整エリアの階段状調整部と相互に係合されて、回転盤が調整エリア内でのみ回動可能に制限される。この構造により、使用者が回転盤を階段状調整部の高階層に向かって回動させると、支持片の突起が回転盤の回動の影響を受け、同時にバネ座体と移動刃座体を前方向へ移動させ、バネ座体と移動刃座体が位置決めされ、同時に、回復バネがバネ座体の前方向への移動により、圧迫された状態となり弾性を生み、回転盤が階段状調整部の低階層へ向かって回動されると、支持片が後方へ向かって移動し、バネ座体が解放され、回復バネの弾力により後方へ向かって移動し、移動刃座体もそれに伴い後方へ移動し、刃部調整という目的を達することができる。      
【考案の効果】
【０００９】
本考案の電動バリカンの刃部調整機と従来技術を比較すると、以下のような利点があることが分かる。
１、本考案は回転盤の階段状調整部の高低を備えた段差を利用し、支持片の前後移動距離を制御し、この支持片により移動刃部材を同距離移動させることができるため、移動刃を簡単に前後に移動させることができ、操作者の理髪過程において、片手で楽に小さな力で回転盤を制御し、左右に回動させるだけでよく、手間を省き操作上の利便性を向上するという目的を達することができる。
２、本考案は組み立てが容易で、操作が簡単であり、低コストである等の多くの利点を備えているだけでなく、電動バリカン産業上の進歩性の向上にも役立つ。
【考案を実施するための最良の形態】
【００１０】
図１及び図２に本考案の電動バリカンの刃部調整機は、主に刃セット１、電動バリカン殻体２、回復バネ３、支持片４、回転盤５を含む。
【００１１】
このナイフセット１は電動バリカン殻体２の前端部に設置され、さらに、固定刃座体１１と移動刃部材１２から構成される。この固定刃座体１１上に固定刃１１１が設置され、この固定刃１１１の刃先が電動バリカン殻体２の前端部から外に露出されると共に、この固定刃座体１１の後端部にスライド槽１１２が延伸して設けられる。
【００１２】
移動刃部材１２は、移動刃１２１を備えた移動刃座体１２２及び内部に位置決めバネ１２３を備えたバネ座体１２４を含み、この移動刃座体１２２上にさらに嵌合槽１２２１が形成される。位置決めバネ１２３の両端部と移動刃座体１２２の上面が相互に連結され、移動刃座体１２２、位置決めバネ１２３及びバネ座体１２４が連結されて一体となり、連動機能が形成されると共に、バネ座体１２４を固定刃座体１１の後端部に近い上表面に設置し、移動刃座体１２２が固定刃１１１の上面に密接し、移動刃部材１２が固定刃座体１１上でスライド移動し、移動刃１２１の刃先が電動バリカン殻体２の前端部外に突出し露出される。
【００１３】
回復バネ３は略V字形を呈し、移動刃座体１２２とバネ座体１２４の間に設置され、一端がバネ座体１２４に固定され、他端が固定刃１１１の後端部に固定され、バネ座体１２４が前方向に移動されたとき、この回復バネ３の弾力により元の位置を回復することができる。
【００１４】
支持片４は、その後端部に近い位置に突起４１を備え、この支持片４が固定刃座体１１後端部のスライド槽１１２内に結合され、支持片４がこのスライド槽１１２内で移動可能となると共に、この支持片４の前端部はバネ座体１２４を支持し、バネ座体１２４を前方向へ押し動かすことができる。
【００１５】
回転盤５は中央部が空芯状を呈し、その周縁部に滑り止め模様５１または刻みなどを設け、滑らずに動かすことが可能なようにし、中央部に空芯の位置決め柱体５２を延伸して設け、回転盤５の断面は略凸字形を呈し、且つ、この位置決め柱体５２の片側に調整エリア５３を設け、この調整エリア５３は第一壁面５３１と第二壁面５３２を備え、この第一壁面５３１から第二壁面５３２へ向かう間にさらに徐々に高くなる階段状調整部５３３を設け、この階段状調整部５３３は複数の階層を含み、回転盤５を電動バリカン殻体２の前端部に近い位置に設置し、回転盤５の端を電動バリカン殻体２の外部に突出させて露出し、この露出された部分を回動させて調整に用いると共に、支持片４の突起４１は回転盤５の調整エリア５３内に収容され、階段状調整部５３３の一つの階層と係合されて回転盤５の回動距離を調整エリア５３の第一壁面５３１から第二壁面５３２までの間に制限し、且つ、この中央部が空芯状の回転盤５はモータ６の出力端６１に穿置することができ、モータ６の出力端６１と移動刃座体122上の嵌合槽１２２１を係合し、移動刃座体１２２を固定刃１１１上で左右に移動させることができる。
【００１６】
図３A及び図３B、図４A及び図４Bに本考案の操作模式図を示す。移動刃１２１を前方向へ移動させたいときは、操作者が片手に電動バリカン殻体２を持ち、指でこの電動バリカン殻体２外部に露出されている回転盤５を調整エリア５３の第二壁面５３２に向かって回動させると、支持片４の突起４１が回転盤５の回動により、階段状調整部５３３の一段上またはさらに上の段階に係合され、支持片４が突起４１の高階層への移動により前方に向かって滑動され、さらにバネ座体１２４と移動刃座体１２２を同時に前方に向かって押し、同じ距離を移動させると共に、このバネ座体１２４を支持し、バネ座体１２４と移動刃座体１２２を位置決めする。このとき、回復バネ３がバネ座体１２４の前方への移動により圧迫されて弾性を生む。反対に、移動刃１２１を後方へ移動させたいときは、回転盤５を調整エリア５３の階段状調整部５３３の第一壁面５３１に向かって回動させるだけで、支持片４が後方に向かって移動し、バネ座体１２４が解放されると共にこの回復バネ３の弾力により後方へ押し動かされ、さらに支持片４の前端部分により支持される。このように、回転盤５の階段状調整部５３３の高低を備えた階層により、支持片４の前後移動距離を制御でき、支持片４により移動刃部材１２を押し動かして同じ距離移動させることにより、簡単に移動刃１２１を制御して前後移動させることができ、操作者の理髪過程において、片手で楽に小さな力で回転盤を制御し、左右に回動させるだけでよく（図４A、図４B参照）、手間を省き操作上の利便性を向上するという目的を達することができる。
【００１７】
上述の詳細な説明は、本考案の実施例の一つに基づき具体的に説明したものであり、この実施例は本考案の権利の範囲を制限するものではなく、本考案の技術的要旨を逸脱しないあらゆる同等効果を得る実施方法や変更もすべて本考案の権利範囲に含まれるものとする。
【００１８】
以上で述べたように、本考案は空間形態上確実に新しい考案であるだけでなく、従来品に比べ多くの機能を増進しており、実用新案登録の出願に必要な新規性と進歩性という条件を十分に満たしているため、法に基づきここに実用新案登録を出願するものである。
【図面の簡単な説明】
【００１９】
【図１】本考案の電動バリカンの刃部調整機の一部を組み立てた状態を示す立体斜視図である。
【図２】本考案の電動バリカンの刃部調整機を示す立体斜視図である。
【図３Ａ】本考案の電動バリカンの刃部調整機の動作を示す平面図である。
【図３Ｂ】本考案の電動バリカンの刃部調整機の動作を示す別の平面図である。
【図４Ａ】本考案の電動バリカンの刃部調整機の操作を示す側面図である。
【図４Ｂ】本考案の電動バリカンの刃部調整機の操作を示す別の側面図である。
【符号の説明】
【００２０】
１        刃セット
１１      固定刃座体
１１１    固定刃
１１２    スライド槽
１２      移動刃部材
１２１    移動刃
１２２    移動刃座体
１２２１  嵌合槽
１２３    位置決めバネ
１２４    バネ座体
２        電動バリカン殻体
３        回復バネ
４        支持片
４１      突起
５        回転盤
５１      滑り止め模様
５２      位置決め柱体
５３      調整エリア
５３１    第一壁面
５３２    第二壁面
５３３    階段状調整部
６        モータ
６１      出力端
【図１】
0003116209.tif 000003
【図２】
0003116209.tif 000004
【図３Ａ】
0003116209.tif 000005
【図３Ｂ】
0003116209.tif 000006
【図４Ａ】
0003116209.tif 000007
【図４Ｂ】
0003116209.tif 000008